(57)【要約】【課題】ＬＳシステムを備えた油圧駆動装置において、小流量が要求される油圧アタッチメント駆動用アクチュエータへの流量を必要流量以下に減少することができ、このときエンジン回転数の増減によって目標ＬＳ差圧が可変となっても、油圧アタッチメント駆動用アクチュエータと他の各作業用油圧アクチュエータのスピード比率が変化せず、優れた複合操作性を実現できるようにする。【解決手段】油圧ポンプ２の吐出圧とアクチュエータ３ａ，３ｂ，３ｃ，３ｄの最高負荷圧との差圧を絶対圧として出力する差圧減圧弁１１と油圧アタッチメント駆動用アクチュエータ３ｄの予備セクション（流量制御弁）６ｄに係わる圧力補償弁７ｄとを結ぶ油圧回路２６に前記予備セクションの圧力補償弁７ｄの目標補償差圧Ｐｃ４を差圧減圧弁１１の出力圧ＰＬＳの定数倍（＜１）に減圧する減圧弁１９を設けた。【選択図】  図１
2005226678.tif 000002
【特許請求の範囲】
【請求項１】
エンジンと、このエンジンにより駆動される可変容量型の油圧ポンプと、この油圧ポンプから吐出された圧油により駆動される複数のアクチュエータと、前記油圧ポンプから前記複数のアクチュエータに供給される圧油の流量を制御する複数の流量制御弁と、前記複数の流量制御弁の前後差圧をそれぞれ制御する複数の圧力補償弁と、前記油圧ポンプの吐出圧が前記複数のアクチュエータの最高負荷圧より目標差圧だけ高くなるようロードセンシング制御する油圧ポンプ制御手段と、前記油圧ポンプの吐出圧と前記複数のアクチュエータの最高負荷圧との差圧を絶対圧として出力する第１の差圧減圧弁と、前記油圧ポンプを駆動する前記エンジンの回転数に依存する圧力を絶対圧として出力する第２の差圧減圧弁とを備え、前記複数の圧力補償弁のそれぞれに前記第１の差圧減圧弁の出力圧を導き各圧力補償弁の目標補償差圧を設定すると共に前記ポンプ制御手段に前記第２の差圧減圧弁の出力圧を導き、前記ロードセンシング制御の目標差圧を前記エンジンの回転数に依存する可変値として設定した油圧駆動装置において、
前記複数のアクチュエータは油圧アタッチメント駆動用のアクチュエータを含み、前記複数の流量制御弁は油圧アタッチメント駆動用アクチュエータの予備セクションを含み、
前記予備セクションに係わる圧力補償弁と前記第１の差圧減圧弁とを結ぶ油圧回路に前記予備セクション用圧力補償弁の目標補償差圧を第１の差圧減圧弁の出力圧の定数倍（＜１）に減圧する減圧弁を設けたことを特徴とする油圧駆動装置。
【請求項２】
請求項１記載の油圧駆動装置において、前記減圧弁は通常モードと小流量モードとの少なくとも２つの位置を切換え可能にし、通常モードの切換位置では前記第１の差圧減圧弁の出力圧を前記予備セクションに係わる圧力補償弁に出力し、小流量モードの切換位置では前記第１の差圧減圧弁の出力圧を一定倍に減圧して圧力補償弁に出力するよう構成したことを特徴とする油圧駆動装置。
【請求項３】
請求項１または２記載の油圧駆動装置において、前記減圧弁は圧力補償弁と前記第１の差圧減圧弁とを結ぶ油圧回路に着脱自在に設けられたことを特徴とする油圧駆動装置。
【請求項４】
請求項２記載の油圧駆動装置において、前記減圧弁の通常モードから小流量モードへの切換えを電気信号により行うことを特徴とする油圧駆動装置。
【請求項５】
請求項２記載の油圧駆動装置において、前記減圧弁の通常モードから小流量モードへの切換えを手動操作により行うことを特徴とする油圧駆動装置。
【請求項６】
請求項２記載の油圧駆動装置において、前記減圧弁の通常モードから小流量モードへの切換えを油圧パイロット信号により行うことを特徴とする油圧駆動装置。
【請求項７】
請求項１または２記載の油圧駆動装置において、前記油圧アタッチメント駆動用のアクチュエータはグラップルを開閉する油圧シリンダであることを特徴とする油圧駆動装置。
【請求項８】
請求項１または２記載の油圧駆動装置において、前記油圧アタッチメント駆動用のアクチュエータは油圧ブレーカまたは油圧破砕機を駆動する油圧モータであることを特徴とする油圧駆動装置。
【発明の詳細な説明】
【技術分野】
【０００１】
本発明は、油圧ショベル等の建設機械に用いられるＬＳ制御方式の油圧駆動装置に係わり、特に、油圧ポンプの吐出圧が複数のアクチュエータの最高負荷圧より目標差圧だけ高くなるようロードセンシング制御しかつ複数の流量制御弁の前後差圧を制御する圧力補償弁のそれぞれの目標補償差圧を油圧ポンプの吐出圧と複数のアクチュエータの最高負荷圧との差圧により設定すると共に、ロードセンシング制御の目標差圧をエンジン回転数に依存する可変値として設定するものにおいて、油圧ポンプで小流量の油圧アタッチメント用アクチュエータを駆動するとき、油圧アタッチメント用アクチュエータの予備セクション（流量制御弁）の前後差圧を制御する圧力補償弁の目標補償差圧を減圧して油圧アタッチメント用アクチュエータの作動速度を抑制するようにした油圧駆動装置に関する。
【背景技術】
【０００２】
油圧ポンプの吐出圧が複数のアクチュエータの最高負荷圧より目標差圧だけ高くなるようロードセンシング制御する油圧駆動装置はロードセンシングシステム（以下、適宜ＬＳシステムという）と呼ばれ、複数の流量制御弁の前後差圧をそれぞれ圧力補償弁により制御し、複数のアクチュエータを同時に駆動する複合操作時に負荷圧の大小に係わらず流量制御弁の開口面積に応じた比率で圧油を供給できるようにしている。
【０００３】
このようなＬＳシステムでは、油圧ポンプの吐出圧と複数のアクチュエータの最高負荷圧との差圧（以下、ＬＳ差圧という）を圧力補償弁に導き、圧力補償弁のそれぞれの目標補償差圧をＬＳ差圧により設定することが一般的に行われており、これにより複数のアクチュエータを同時に駆動する複合動作時に、油圧ポンプの吐出流量が複数の流量制御弁の要求する流量に満たないサチュレーション状態になったときでも、サチュレーションの程度に応じてＬＳ差圧が低下し、これに伴って圧力補償弁の目標補償差圧も小さくなるため、油圧ポンプの吐出流量をそれぞれのアクチュエータが要求する流量の比に再分配することができる。
【０００４】
このようなＬＳシステムにおいて、特許文献１（特に図２およびその説明文参照）にはＬＳ差圧を絶対圧として出力する差圧減圧弁（以下第１の差圧減圧弁という）を設け、この第１差圧減圧弁の出力圧を複数の圧力補償弁に導き、それぞれの目標補償差圧を設定し、かつ油圧ポンプを駆動するエンジンの回転数に依存する圧力を絶対圧として出力する差圧減圧弁（以下第２の差圧減圧弁という）を設け、この第２の差圧減圧弁の出力圧をＬＳ制御レギュレータに導き、ロードセンシング制御の目標差圧（以下、目標ＬＳ差圧という）をエンジンの回転数に依存する可変値として設定した油圧駆動装置が記載されている。
【０００５】
また、特許文献２には、油圧ショベルのブーム、アーム、バケット、旋回体等を駆動する複数のアクチュエータに油圧ポンプから供給される圧油の流量を制御する複数の流量制御弁と、これら複数の流量制御弁の前後差圧（目標補償差圧）を制御する圧力補償弁とを備え、この圧力補償弁は圧力補償弁に流量制御弁の上流圧と下流圧とを閉じ方向と開き方向に対抗して負荷する各制御圧力室を有すると共に複数のアクチュエータの最高負荷圧と油圧ポンプ圧とを閉じ方向と開き方向に対抗して負荷する各補助制御圧力室を有するように構成された油圧駆動装置において、油圧ポンプの吐出管路と前記旋回体を駆動する旋回モータに係わる圧力補償弁の補助制御圧力室とを結ぶ管路に減圧弁を設け、この減圧弁は油圧ショベルの作業フロントが旋回姿勢になると作動して圧力補償弁の開き方向に負荷される油圧ポンプから前記補助制御圧力室への吐出圧油を絞ると共に一部の圧油を絞りつつタンクに放出することにより、油圧ポンプの吐出圧を減圧して、該圧力補償弁の目標補償差圧をＬＳ差圧により設定される他の圧力補償弁の目標補償差圧より低下させ、これにより圧力補償弁を通過して旋回モータに供給される流量を減少させて旋回加速度を下げ、旋回時の加速反力を小さくしてジヤーキングの発生を抑制することが記載されている。
【０００６】
さらに特許文献２には、上記旋回モータに係わる圧力補償弁の、複数のアクチュエータの最高負荷圧と油圧ポンプ圧とを対抗させて負荷する前記２つの補助制御圧力室を１つの補助圧力室として、この補助圧力室に複数のアクチュエータの最高負荷圧と油圧ポンプ圧との差圧に相当する油圧信号を導くと共に、この油圧信号を電磁比例減圧弁で減圧することにより、電気的制御を組み込んでも良い、との記載がある。
【０００７】
【特許文献１】特開２００３−１１３８０３号公報
【特許文献２】特開平１０−１５９１３５号公報
【発明の開示】
【発明が解決しようとする課題】
【０００８】
ところで、ＬＳシステムを採用した油圧ショベルなどにおいて、ブーム、アームやバッケット等に油圧アタッチメントを取り付け、これを油圧アクチュエータで駆動する場合がある。例えば、油圧アタッチメントとしてブレーカ、破砕機をバケットの代わりにアームの先端に取り付け、油圧モータで駆動するケースやアームの先端にグラップルを取り付け油圧シリンダでグラップルの開閉を行うケース等がある。
【０００９】
特許文献１の従来技術に例を取ると、このような場合には、油圧ポンプの吐出油を流量制御弁グループ（コントロールバルブ）中に設けられた（不図示の）予備の流量制御弁（以下予備セクションという）を用いて油圧アタッチメント用の油圧アクチュエータに供給する。
【００１０】
しかし、油圧アタッチメント用の油圧アクチュエータの必要とする流量が油圧ショベル駆動用の油圧アクチュエータ（旋回モータやブーム、アーム駆動用油圧シリンダ等）に比較して少ない場合、例えば、油圧ブレーカ用の駆動モータの推奨流量が小流量の場合やグラップル駆動用の油圧シリンダが小径であり小流量で駆動される場合等、予備セクションの最大開口面積（操作レバーの最大操作位置）での吐出量より大幅に少ない場合には、予備セクションの開口面積（操作レバーの操作位置）を常にコントロールして予備セクションからの吐出量が必要流量を超えないように調整する必要がある。
【００１１】
この開口面積のコントロールは非常に難しく、予備セクションの操作量が大き過ぎると、油圧ブレーカの推奨流量を越えてブレーカ駆動用油圧モータが破壊されたり、また、グラップルとブーム、アーム等の同時操作により作業を行う場合には、ブーム、アーム等の動作速度に対してグラップルの開閉速度が速すぎて、複合操作性が悪化する等の問題がある。
【００１２】
このような問題の対処として、通常は油圧ショベル等の油圧ポンプを駆動する原動機（以下エンジンという）のエンジン回転数調整レバーによりエンジン回転数を下げることで、予備セクションから油圧アタッチメント駆動用油圧アクチュエータへの最大吐出流量を少なくすることが行われるが、この場合には、他の油圧アクチュエータ（油圧ショベル駆動用の旋回モータ，ブーム、アーム駆動用油圧シリンダ等）への各流量制御弁からの供給流量も少なくなり、それらの油圧アクチュエータが所望の動作速度より遅くなってしまうので、作業性が著しく低下してしまう。
【００１３】
一方、特許文献２には、旋回モータに係わる圧力補償弁を開き方向に負荷する補助制御圧力室への圧油供給管路の途中に減圧弁（油圧式）または電磁比例減圧弁を設け、この減圧弁または電磁比例減圧弁を油圧ショベルの作業フロントが旋回姿勢になると作動させて、圧力補償弁を通過して旋回モータに供給される流量を減少させることが開示されている。
【００１４】
したがって、この減圧弁または電磁比例減圧弁を用い、前述した油圧アタッチメント駆動用油圧アクチュエータの予備セクションの圧力補償弁へ送られるＬＳ差圧を減圧してその値を減少することによって予備セクションから油圧アタッチメント駆動用油圧アクチュエータに供給される圧油の流量を少なくすることが想定される。
【００１５】
しかしながら、特許文献２の減圧弁（油圧式）は圧力補償弁の補助圧力室への圧油を常時絞ると共に一部を絞りつつタンクに放出するもので、エネルギーロスが大きく、また内部の２つの絞りによって圧力補償弁の補助圧力室への出力圧が決定されるので、この出力圧は油温の影響を受けやすい。一般に、ブレーカなどの油圧アタッチメントを使用する場合、流量の変化はブレーカ打撃数の変化などによりオペレータに違和感を与えやすいが、上記の減圧弁では油温の変化によって減圧弁の出力圧が変動し、これに伴いブレーカの打撃数も変動してしまい、オペレーの操作感覚および操作性も悪化する。
【００１６】
また、特許文献２記載の電磁比例減圧弁を用いた場合を想定すると、下記の問題が生じる。
すなわち、油圧ショベル全体のスピード調節（ブーム、アーム、バケット、旋回体等を動作させる全アクチュエータの作動速度の調節）は作業モード（例えば、微操作モード、最燃費モード、重作業モード等）に対応して、エンジン回転数調節レバーやエンジン回転数自動設定手段等により（エンジンの燃料噴射ポンプの噴射量を調節して）、エンジンの回転数の設定を変えることにより行うことが知られている。
そして、特許文献１では目標ＬＳ差圧はエンジンの回転数に依存する可変値であり、したがって各作業アクチュエータ用流量制御弁の圧力補償弁へ伝達されるＬＳ差圧すなわち各圧力補償弁の目標補償差圧はエンジン回転数に伴い変化し、エンジン回転数の設定を変更することによって全アクチュエータのスピードが可変となるが、そのときの各作業アクチュエータのスピード比率は、目標ＬＳ差圧の変化によらず一定（各流量制御弁の開口面積に比例する）となる。このため、複数アクチュエータの複合操作性は良好に保たれ、オペレータは違和感なく複合操作を行うことができる。
【００１７】
しかしながら、特許文献２の電磁比例減圧弁は予備セクションの圧力補償弁へ送られるＬＳ差圧を減圧してその値をある値に制限する作用を行うことになる。したがって、油圧ショベルをスピード調節しエンジン回転数を変更した場合に、目標ＬＳ差圧の値が変化しこれに伴いＬＳ差圧の値が変化した場合、ＬＳ差圧は常に一定の値に減圧されて予備セクションの圧力補償弁へ送られ（後述の図４および図５ａを参照）、該圧力補償弁の目標補償差圧はエンジン回転数に依存しないので、エンジン回転数を変えることによって油圧アタッチメント駆動用アクチュエータと他の各作業アクチュエータのスピード比率が変化してしまうこととなる。
【００１８】
したがって、油圧アタッチメント駆動用アクチュエータと他の各作業アクチュエータとの複合操作性に問題が生じる。
【００１９】
たとえば、油圧ショベルの油圧アタッチメントとしてアームの先端にグラップルを装備し、他のアクチュエータ（例えば、ブーム、アーム駆動用油圧シリンダ等）との複合操作を行う場合にエンジン回転数によってグラップルの開閉速度とブーム、アームの動作速度の比率が変化することはオペレータに多大な違和感を与え、複合操作性を悪化させる。
【００２０】
本発明の目的は、ＬＳシステムを備えた油圧駆動装置において、油圧ポンプから小流量が要求される油圧アタッチメント駆動用アクチュエータへの流量を減少することができ、このときエンジン回転数の増減によって目標ＬＳ差圧が可変となっても、油圧アタッチメント駆動用の油圧アクチュエータと他の各作業用油圧アクチュエータのスピード比率が変化しない油圧駆動装置を提供することである。
【課題を解決するための手段】
【００２１】
（１）上記目的を達成するために、本発明は、エンジンと、このエンジンにより駆動される可変容量型の油圧ポンプと、この油圧ポンプから吐出された圧油により駆動される複数のアクチュエータと、前記油圧ポンプから前記複数のアクチュエータに供給される圧油の流量を制御する複数の流量制御弁と、前記複数の流量制御弁の前後差圧をそれぞれ制御する複数の圧力補償弁と、前記油圧ポンプの吐出圧が前記複数のアクチュエータの最高負荷圧より目標差圧だけ高くなるようロードセンシング制御する油圧ポンプ制御手段と、前記油圧ポンプの吐出圧と前記複数のアクチュエータの最高負荷圧との差圧を絶対圧として出力する第１の差圧減圧弁と、前記油圧ポンプを駆動する前記エンジンの回転数に依存する圧力を絶対圧として出力する第２の差圧減圧弁とを備え、前記複数の圧力補償弁のそれぞれに前記第１の差圧減圧弁の出力圧を導き各圧力補償弁の目標補償差圧を設定すると共に前記ポンプ制御手段に前記第２の差圧減圧弁の出力圧を導き、前記ロードセンシング制御の目標差圧を前記エンジンの回転数に依存する可変値として設定した油圧駆動装置において、前記複数のアクチュエータは油圧アタッチメント駆動用のアクチュエータを含み、前記複数の流量制御弁は油圧アタッチメント駆動用アクチュエータの予備セクションを含み、前記予備セクションに係わる圧力補償弁と前記第１の差圧減圧弁とを結ぶ油圧回路に前記予備セクショの圧力補償弁の目標補償差圧を第１の差圧減圧弁の出力圧の定数倍（＜１）に減圧する減圧弁を設けたものとする。
【００２２】
このように前記予備セクションに係わる圧力補償弁と前記第１の差圧減圧弁とを結ぶ油圧回路に前記予備セクション用圧力補償弁の目標補償差圧を一定倍に減圧する減圧弁を設けたことにより、小流量が要求される油圧アッタチメント駆動用アクチュエータへ油圧ポンプから送られる流量を減少することができ、エンジン回転数の調整によって目標ＬＳ差圧が可変となっても油圧アタッチメント駆動用アクチュエータと他の各作業アクチュエータのスピード比率が変化しないので、油圧アタッチメントと他の作業部材（旋回、ブーム、アーム等）との複合操作性を良好に保持することが可能となる。
【００２３】
（２）上記（１）において、好ましくは、前記減圧弁は通常モードと小流量モードとの少なくとも２つの位置を切換え可能にし、通常モードの切換位置では前記第１の差圧減圧弁の出力圧を前記予備セクションに係わる圧力補償弁に出力し、小流量モードの切換位置では前記第１の差圧減圧弁の出力圧を一定倍に減圧して圧力補償弁に出力するよう構成する。
【００２４】
これにより、予備セクションにより通常流量の油圧アタッチメント駆動用アクチュエータの流量制御を行う場合には、減圧弁を通常モードに切換え、他の油圧アクチュエータと同様の大流量を予備セクションから油圧アタッチメント用のアクチュエータに供給可能となり、また、このときエンジン回転数の変更によって目標ＬＳ差圧が変化しても他のアクチュエータとの速度比率は一定に保持され、複合操作性も良好となる。
【００２５】
したがって、１台の油圧ショベル等の建設機械において、通常流量を必要とする油圧アタッチメントと小流量の油圧アタッチメントの変更を容易に行うことができる。
【００２６】
また、上記（２）において、好ましくは、前記減圧弁の通常モードから小流量モーへの切換えを電気信号または油圧パイロット信号により行う。
【００２７】
これにより、上記切換えを容易に行うことができる。
【００２８】
また、上記（１）または（２）において、好ましくは、前記油圧アタッチメント駆動用のアクチュエータはグラップルを開閉する油圧シリンダとする。
【００２９】
これにより、油圧アタッチメントとして油圧ショベル等のアームの先端にグラップルを取り付けたとき、グラップルと他の作業部材（旋回体、ブーム、アーム等）との複合操作時に、グラップル開閉と他の作業部材の作動速度比率が変化しないので、複合操作性が良好となり作業効率が向上する。
【００３０】
また、上記（１）または（２）において、好ましくは、前記油圧アタッチメント駆動用のアクチュエータはブレーカまたは破砕機を駆動する油圧モータとする。
【００３１】
これにより、推奨流量が小流量のブレーカまたは破砕機を油圧アタッチメントとして採用しても駆動モータが破壊される等の問題の発生を防止できる。
【発明の効果】
【００３２】
本発明によれば、ＬＳシステムを備えた油圧駆動装置において、予備セクションの前後差圧を制御する圧力補償弁へのＬＳ差圧を減圧し圧力補償弁の目標補償差圧とすることによって、油圧ポンプから小流量が要求される油圧アタッチメント駆動用アクチュエータへの流量を減少することができ、このときエンジン回転数の増減によって目標ＬＳ差圧が可変となっても、油圧アタッチメント駆動用油圧アクチュエータと他の各作業用油圧アクチュエータのスピード比率が変化せず、複合操作性の優れた油圧駆動装置を提供することが可能となる。
【発明を実施するための最良の形態】
【００３３】
以下、本発明の実施の形態を図面を用いて説明する。
【００３４】
図１は本発明の第１の実施の形態に係わる油圧駆動装置を示す図である。
【００３５】
図１において、本実施の形態に係わる油圧駆動装置は、エンジン１と、このエンジン１により駆動されるメインポンプとしての可変容量型の油圧ポンプ２及び固定容量型のパイロットポンプ３０と、メインの油圧ポンプ２から吐出された圧油により駆動される複数のアクチュエータ３ａ，３ｂ，３ｃ，３ｄと、油圧ポンプ２の供給油路５に接続され、油圧ポンプ２からアクチュエータ３ａ，３ｂ，３ｃ，３ｄに供給される圧油の流量と方向をそれぞれ制御する複数の流量制御弁（メインスプール）４ａ，４ｂ，４ｃ，４ｄを含むコントロールバルブ４と、油圧ポンプ２の吐出圧と複数のアクチュエータ３ａ，３ｂ，３ｃ，３ｄの最高負荷圧との差圧（ＬＳ差圧）を絶対圧として出力する第１の差圧減圧弁１１と、第１の差圧減圧弁１１の出力圧を減圧する減圧弁１９と、油圧ポンプ２の傾転（容量）を制御するポンプ傾転制御機構１２と、エンジン回転数に依存する圧力を絶対圧として出力する第２の差圧減圧弁５１を含むエンジン回転数検出回路１３とを備えている。
【００３６】
本実施の形態に係わる油圧駆動装置は例えば図２に示す木造家屋解体作業用のグラップル１３を油圧アタッチメントとして装備した油圧ショベルに搭載されるものであり、この油圧ショベルは下部走行体１４に旋回可能に搭載された上部旋回体１５と、上部旋回体１５に上下方向に回動可能に装備されたブーム１６、アーム１７、グラップル１３を有し、図１のアクチュエータ３ａ，３ｂ，３ｃ，３ｄは例えばそれぞれ油圧ショベルのブームシリンダ、アームシリンダ、旋回モータ（図示を省略）、グラップル開閉用シリンダ３ｄである。
【００３７】
ブームシリンダ３ａ及びアームシリンダ３ｂはそれぞれブーム１６及びアーム１７を上下方向に回動駆動し、旋回モータ３ｂは上部旋回体１５を旋回駆動し、グラップル開閉用シリンダ３ｄは木材掴み等の挟み部材１３ａ、１３ｂを開閉する。なお、図２のグラップル１３を上下方向に回動駆動するグラップル回動シリンダ４ｅは図１では図示を省略している。
【００３８】
複数の流量制御弁４ａ，４ｂ，４ｃ，４ｄは、それぞれ、クローズドセンタ型の複数の流量制御弁６ａ，６ｂ，６ｃ，６ｄと、これら複数の流量制御弁６ａ，６ｂ，６ｃ，６ｄのメータイン絞り部６１，６２の前後差圧を同じ値に制御する複数の圧力補償弁７ａ，７ｂ，７ｃ，７ｄとで構成されている。
【００３９】
流量制御弁６ａ，６ｂ，６ｃ，６ｄはそれぞれ操作レバー（図２には操作レバー群１８が示される）の操作により切り換え操作され、その操作レバーの操作量に応じてメータイン絞り部６１又は６２の開口面積が決まる。
【００４０】
複数の圧力補償弁７ａ，７ｂ，７ｃ，７ｄは、それぞれ、流量制御弁６ａ，６ｂ，６ｃ，６ｄのメータイン絞り部６１，６２の上流に設置された前置きタイプ（ビフォアオリフィスタイプ）であり、圧力補償弁７ａは１対の対向する受圧部７０ａ，７０ｂと開方向作動の受圧部７０ｃとを有し、受圧部７０ａ，７０ｂに流量制御弁６ａの上流側及び下流側の圧力がそれぞれ導かれ、受圧部７０ｃに差圧減圧弁１１の出力圧が導かれ、その出力圧を目標補償差圧として流量制御弁６ｂの前後差圧を制御する。圧力補償弁７ｂも圧力補償弁７ａと同様であり、１対の対向する受圧部７１ａ，７１ｂと開方向作動の受圧部７１ｃとを有し、受圧部７１ａ，７１ｂに流量制御弁６ｂの上流側及び下流側の圧力がそれぞれ導かれ、受圧部７１ｃに差圧減圧弁１１の出力圧が導かれ、その出力圧を目標補償差圧として流量制御弁６ｂの前後差圧を制御する。圧力補償弁７ｃも圧力補償弁７ａおよび圧力補償弁７ｂと同様であり、１対の対向する受圧部７２ａ，７２ｂと開方向作動の受圧部７２ｃとを有し、受圧部７２ａ，７２ｂに流量制御弁６ｃの上流側及び下流側の圧力がそれぞれ導かれ、受圧部７２ｃに差圧減圧弁１１の出力圧が導かれ、その出力圧を目標補償差圧として流量制御弁６ｃの前後差圧を制御する。
【００４１】
流量制御弁６ｄ（以下予備セクション６ｄという）は油圧ショベルの通常の作業アクチュエータ（旋回モータ，ブーム、アームシリンダ等）以外の作業アッタチメント駆動用アクチュエータの流量制御弁を行うためにコントロールバルブ４に設けられたもので、圧力補償弁７ｄは１対の対向する受圧部７３ａ，７３ｂと開方向作動の受圧部７３ｃとを有し、受圧部７３ａ，７３ｂに流量制御弁６ｄの上流側及び下流側の圧力がそれぞれ導かれ、受圧部７３ｄには減圧弁１９からの出力圧が導かれ、その出力圧を目標補償差圧として予備セクション６ｄの前後差圧を制御する。
【００４２】
複数の流量制御弁６ａ，６ｂ，６ｃと予備セクション６ｄには、それぞれ、アクチュエータ３ａ，３ｂ，３ｃ，３ｄの駆動時にそれらの負荷圧を取り出す負荷ポート６０ａ，６０ｂ，６０ｃ，６０ｄが設けられ、これら負荷ポート６０ａ，６０ｂ，６０ｃ，６０ｄに取り出された負荷圧のうちの最高の圧力が負荷ライン８ａ，８ｂ，８ｃ、８ｄ及びシャトル弁９ａ，９ｂ，９ｃを介して信号ライン１０に検出される。
【００４３】
差圧減圧弁１１は、出力圧を増やす側に位置する受圧部１１ａと出力圧を減らす側に位置する受圧部１１ｂ，１１ｃを有し、受圧部１１ａに油圧ポンプ２の吐出圧が導かれ、受圧部１１ｂ，１１ｃにそれぞれ信号ライン１０に検出された最高負荷圧と自己の出力圧が導かれ、これらの圧力のバランスで油圧ポンプ２の吐出圧と最高負荷圧との差圧（ＬＳ差圧）を絶対圧として出力する。
【００４４】
差圧減圧弁１１の出力ポートは信号ライン２１，２２を介してポンプ傾転制御機構１２に設けられたＬＳ制御弁１２ｂの受圧部１２ｄに接続され、差圧減圧弁１１の出力圧が受圧部１２ｄに導かれる。また、差圧減圧弁１１の出力ポートは、信号ライン２１，２３を介して圧力補償弁７ａの受圧部７０ｃに接続され、信号ライン２１，２４を介して圧力補償弁７ｂの受圧部７１ｃに接続され、信号ライン２１，２５を介して圧力補償弁７ｃの受圧部７２ｃに接続され、信号ライン２１，２６を介して減圧弁１９に接続されている。
【００４５】
減圧弁１９は信号ライン２７を介して圧力補償弁７ｄの受圧部７３ｃに接続され、減圧弁１９に入力された圧力をある定数倍（＜１）に減圧する弁ブロック１９ａと、前記入力をそのままの圧力信号として出力するか、もしくは減圧された圧力信号として出力するかを選択的に切換える切換弁ブロック１９ｂとから構成されている。
【００４６】
弁ブロック１９ａは対抗するスプールの受圧面積をそれぞれＳ１，Ｓ２（但しＳ１＜Ｓ２）とすると、弁ブロック１９ａの出力は入力信号圧×（Ｓ１／Ｓ２）となる。
【００４７】
また、切換弁ブロック１９ｂは電磁切換弁であり、切換スイッチ３３からの電気信号により切換えられる。
【００４８】
切換スイッチ３３は通常モード位置３３ａと小流量モード位置３３ｂに切換え可能であり、通常モード位置３３ａは切換電気信号を出力しないので切換弁ブロック１９ｂは図１の位置にあり差圧減圧弁１１からの出力圧はそのまま圧力信号として圧力補償弁７ｄの受圧部７３ｃに出力される。
【００４９】
切換スイッチ３３が小流量モード位置３３ｂに切換えられると切換電気信号が出力されて切換弁ブロック１９ｂは図１において右側位置に切換えられ、差圧減圧弁１１の出力圧はブロック１９ａを通ってＳ１／Ｓ２に減圧されて圧力補償弁７ｄの受圧部７３ｃに出力される。
【００５０】
このように、差圧減圧弁１１は切換弁ブロック１９ｂの切換えによって通常モードと小流量モードの２つの位置に切換え可能となっている。
【００５１】
ポンプ傾転制御機構１２は、油圧ポンプ２の吐出圧が高くなると油圧ポンプ２の傾転を減らす馬力制御傾転アクチュエータ１２ａと、油圧ポンプ２の吐出圧が複数のアクチュエータ３ａ，３ｂ，３ｃ，３ｄの最高負荷圧より目標差圧だけ高くなるようロードセンシング制御するＬＳ制御弁１２ｂ及びＬＳ制御傾転アクチュエータ１２ｃとを備えている。
【００５２】
ＬＳ制御弁１２ｂは、アクチュエータ１２ｃを増圧し油圧ポンプ２の傾転を減らす側に位置する受圧部１２ｄと、アクチュエータ１２ｃを減圧し油圧ポンプ２の傾転を増やす側に位置する受圧部１２ｅとを有し、受圧部１２ｄには差圧減圧弁１１の出力圧（ＬＳ差圧）が導かれ、受圧部１２ｅにはエンジン回転数検出回路１３の差圧減圧弁５１の出力圧がロードセンシング制御の目標差圧（目標ＬＳ差圧）として導かれている。
【００５３】
エンジン回転数調節レバー２８は油圧ショベルの運転室に設けられ、油圧ショベルの全体のスピード調節（ブーム、アーム、バケット、旋回体等を動作させる全アクチュエータの作動速度の調節）を行うもので、図の矢印Ｈｉ方向に操作するとエンジンの燃料噴射ポンプの噴射量を多くしエンジン回転数を大きくし、図の矢印Ｌｏｗ方向に操作するとエンジンの燃料噴射ポンプの噴射量を少なくしてエンジン回転数を少なくする。
【００５４】
エンジン回転数検出回路１３は、流量検出弁５０と上記の差圧減圧弁５１とを有し、流量検出弁５０は可変の絞り部５０ａを有しかつその絞り部５０ａがパイロットポンプ３０の吐出ライン３１に配置されている。吐出ライン３１は流量検出弁５０の上流側のライン３１ａと下流側のライン３１ｂを有し、下流側のライン３１ｂには、パイロット油圧源としての元圧を規定するリリーフ弁３２が接続され、ライン３１ｂは、例えば流量制御弁６ａ，６ｂ，６ｃ，６ｄを切換操作するためのパイロット圧を生成するリモコン弁（図示せず）へと接続されている。
【００５５】
流量検出弁５０は吐出ライン３１を流れる圧油の流量を絞り部５０ａの前後差圧の変化として検出し、その前後差圧を目標ＬＳ差圧として用いるためのものである。ここで、吐出ライン３１を流れる圧油の流量はパイロットポンプ３０の吐出流量であり、この吐出流量はエンジン１の回転数によって変化するため、吐出ライン３１を流れる圧油の流量を検出することはエンジン１の回転数を検出することである。例えば、エンジン１の回転数が低下すれば当該流量が減少し、絞り部５０ａの前後差圧は低下する。
【００５６】
また、絞り部５０ａは開口面積が連続的に変化する可変絞り部として構成されており、流量検出弁５０は更に開方向作動の受圧部５０ｂと絞り方向作動の受圧部５０ｃ及びバネ５０ｄを有し、受圧部５０ｂに可変絞り部５０ａの上流側圧力（ライン３１ａの圧力）が導かれ、受圧部５０ｃに可変絞り部５０ａの下流側圧力（ライン３１ｂの圧力）が導かれ、可変絞り部５０ａ自身の前後差圧に依存してその開口面積を変化させる構成となっている。このように流量検出弁５０を構成し、可変絞り部５０ａの前後差圧を目標ＬＳ差圧として用いることにより、エンジン回転数に応じたサチュレーション現象の改善が図れ、エンジン回転数を低く設定した場合に良好な微操作性が得られる。
【００５７】
差圧減圧弁５１は、エンジン回転数に依存する圧力として可変絞り部５０ａの前後差圧を絶対圧として出力するエンジン回転数検出弁であり、出力圧を増やす側に位置する受圧部５１ａと出力圧を減らす側に位置する受圧部５１ｂ，５１ｃを有し、受圧部５１ａに可変絞り部５０ａの上流側圧力が導かれ、受圧部５１ｂ，５１ｃにそれぞれ可変絞り部５０ａの下流側圧力と自己の出力圧が導かれ、これらの圧力のバランスでライン３１ｂの圧力を基に可変絞り部５０ａの前後差圧を絶対圧として出力する。この差圧減圧弁５１の出力ポートは信号ライン５３を介してＬＳ制御弁１２ｂの受圧部１２ｅに接続され、差圧減圧弁５１の出力圧が目標ＬＳ差圧として受圧部１２ｅに導かれる。その結果、エンジン回転数に応じたアクチュエータスピードの設定が可能となる。
【００５８】
次に、本実施の形態の動作を比較例と対比して説明する。以下の説明では、油圧ポンプ２の吐出圧をＰｓ、アクチュエータ３ａ，３ｂ，３ｃ，３ｄの最高負荷圧をＰLmax、油圧ポンプ２の吐出圧と最高負荷圧との差圧（ΔＰLS＝ＬＳ差圧＝差圧減圧弁１１の出力圧）をＰLS、差圧減圧弁５１の出力圧をＰgr（目標ＬＳ差圧）、圧力補償弁７ａの目標補償差圧をＰc1、圧力補償弁７ｂの目標補償差圧をＰc2、圧力補償弁７ｃの目標補償差圧をＰc3，圧力補償弁７ｄの目標補償差圧をＰc４とする。
【００５９】
図３は比較例として、図１に示した予備セクションの圧力補償弁７ｄの受圧部７３ｃに他のセクションの圧力補償弁７ａ，７ｂ，７ｃと同様に差圧減圧弁１１の出力圧をそのまま導いたものである。この構成は、特許文献１（特開２００３−１１３８０３号公報）に記載の従来技術（図２）に油圧アタッチメント用の油圧アクチュエータに油圧ポンプ２の圧油を供給する流量制御弁として予備セクション７ｄを付加し、圧力補償弁７ａ，７ｂ，７ｃおよび予備セクション７ｄに油圧ポンプ２の吐出圧Ｐｓと複数のアクチュエータ３ａ，３ｂ，３ｃ，３ｄの最高負荷圧ＰLmaxとの差圧ΔＰLSを絶対圧（＝差圧減圧弁１１の出力圧ＰLS）として導くようにした構成に相当する。
【００６０】
図３の比較例１においては、油圧アタッチメント駆動用の油圧アクチュエータ３ｄの必要とする流量が予備セクション７ｄの最大開口面積（操作レバーの最大操作位置）での吐出量より大幅に少ない場合に、予備セクション６ｄの開口面積（操作レバーの操作位置）を常にコントロールして予備セクションからの吐出量が必要流量を超えないように調整する必要があり、操作性が著しく悪化するとともに予備セクション７ｄの操作量が大き過ぎると過大な流量が油圧アクチュエータ３ｄに供給され油圧アクチュエータ（例えば、油圧アクチュエータ３ｄがブレーカや破砕機の駆動用油圧モータの場合には該油圧モータ）が破壊されたり、他の油圧アクチュエータ３ａ，３ｂ，３ｃとの複合操作時に油圧アッタチメントの油圧アクチュエータ３ｄの動作速度が速すぎて（例えば油圧アクチュエータ３ｄがグラップルの開閉シリンダの場合にブームシリンダ３ａおよびアームシリンダ３ｂ等の動作速度に対してグラップル１３の開閉シリンダの開閉速度が速すぎて）複合操作性が悪化する等の問題が発生する。
【００６１】
そこで、特許文献２（特開平−１５９１３５号公報）の開示に習って
差圧減圧弁１１の出力ポートと予備セクションの圧力補償弁７ｄの受圧部７３ｃとを結ぶ信号ライン２６に電磁比例減圧弁３４を設けることによって圧力補償弁へ送られるＰＬＳを減圧してその値を減少することによって予備セクションから油圧アタッチメント用の油圧アクチュエータに供給される圧油の流量を少なくようにする方法が考えられる。図４は、その場合の構成を比較例２として示すものである。
【００６２】
切換スイッチ３３が通常モード位置３３ａでは切換電気信号を出力しないので電磁比例減圧弁３４は差圧減圧弁１１からのＰLSはそのまま圧力信号として圧力補償弁７ｄの受圧部７３ｃに出力される。
【００６３】
切換スイッチ３３が小流量モード位置３３ｂに切換えられると切換電気信号（一定の電流値）が電磁比例減圧弁３４に出力され、電磁比例減圧弁３４は電流値に応じた位置に切換えられる。
【００６４】
この切換位置では差圧減圧弁１１からの出力圧ＰLSを常に一定値に減圧するので圧力補償弁７ｄの目標補償差圧Ｐc４は常にＰLSより低い一定値となり、一方圧力補償弁７ａ，圧力補償弁７ｂおよび圧力補償弁７ｃの目標補償差圧Ｐc1，Ｐc2およびＰc3はＰLSと等しくなる。したがって、予備セクションから４ｄの予備セクション７ｄの最大開口面積（操作レバーの最大操作位置）での吐出量をある一定値に制限することができ、油圧アタッチメント駆動用の油圧アクチュエータ３ｄに送られる吐出量を必要流量以下に抑えて、油圧アタッチメント駆動の油圧アクチュエータ（ブレーカ駆動用油圧モータ等）が破壊されたり、他の油圧アクチュエータと複合操作時に他の油圧アクチュエータ動作速度に対する動作速度が速すぎる等の問題を解消することができる。
【００６５】
しかし、上記構成では、小流量モード時に予備セクションの圧力補償弁へ送られるＰLSが常に一定値に制限されるので、例えば、油圧ショベルのスピード調節を行いエンジン回転数Ｎを変更してＰgr（目標ＬＳ差圧）が変化し、差圧減圧弁１１からの出力圧ＰLS（ＬＳ差圧）の値が変化すると、これに伴って他の各作業アクチュエータのスピードは比率を変えずに変化するが、油圧アタッチメント駆動の油圧アクチュエータのスピードは変わらず、他の各作業アクチュエータのスピード比率が変化してしまうので複合操作性に問題が生じる。
【００６６】
以下、そのメカニズムについて説明する。
【００６７】
図５ａは図４の比較例２におけるエンジン回転数Ｎと電磁比例減圧弁３４から圧力補償弁７ｄの受圧部７３ｃに出力される目標補償差圧Ｐc４との関係を示す。実線イは切換スイッチ３３が通常モード位置３３ａでのエンジン回転数Ｎの変化に対する目標補償差圧Ｐc４の値（Ｐc１〜Ｐｃ３の値も同様となる）を表し、実線ロは切換スイッチ３３が小流量モード３３ｂに切換えられ切換電気信号（一定の電流値）が出力され電磁比例減圧弁３４が切換えられた状態でのエンジン回転数Ｎの変化に対する目標補償差圧をＰc４の値を表す。
【００６８】
図のように、通常モード時（実線イ）に電磁比例減圧弁３４から出力される目標補償差圧Ｐc４は差圧減圧弁１１からのＰLSと等しくなり、エンジン回転数Ｎの増加あるいは減少にほぼ比例して変化するが、小流量モード時には目標補償差圧をＰc４はエンジン回転数Ｎが所定の値より増大すると一定の値（実線ロ）に制限される。
【００６９】
通常モード時には他の油圧アクチュエータ３ａ，３ｂ，３ｃの流量制御弁６ａ，６ｂ，６ｃの前後差圧を制御する圧力補償弁７ａ，７ｂ，７ｃの目標補償差圧Ｐc1，Ｐc2，Ｐc3も差圧減圧弁１１からのＰLSと等しくなりエンジン回転数Ｎの増加あるいは減少にほぼ比例する値（実線イ）となるので油圧アクチュエータ３ａ，３ｂ，３ｃ，３ｄの複合操作時にはエンジン回転数Ｎの増減に伴ってＰLSが増減しても目標補償差圧Ｐc1，Ｐc2，Ｐc3，Ｐc４は全て同じ比率で変化するので油圧アクチュエータ３ａ，３ｂ，３ｃ，３ｄのスピードも同じ比率で変わる（各流量制御弁６ａ，６ｂ，６ｃ、６ｄの開口面積、すなわち操作量にのみ応じた値となる）ので良好な複合操作性が得られる。
【００７０】
しかし、切換スイッチ３３を小流量モード位置３３ｂに切換え状態で、油圧アタッチメントと他の作業部材との複合操作を行うと、例えば、図２のグラップル１３とブーム１６およびアーム１７との複合操作時には、ブームシリンダ３ａおよびアームシリンダ３ｂはエンジン回転数Ｎの設定を変えることによってＰLSが増減しても目標補償差圧Ｐc1，Ｐc2は同じようにで変化（実線イ）しブームシリンダ３ａおよびアームシリンダ３ｂのスピード比率が変わらないのに対しグラップル開閉用シリンダ３ｄの目標補償差圧Ｐc４はエンジン回転数Ｎの設定を変えても一定値（実線ロ）に制限され、ブームシリンダ３ａおよびアームシリンダ３ｂとのスピード比率が変化するので、オペレータの操作に多大な違和感を与えることとなり複合操作性が悪化する。
【００７１】
このような問題を解決するため、本実施の形態では、上記のように前記予備セクション６ｄに係わる圧力補償弁７ｄと差圧減圧弁１１とを結ぶ油圧回路（信号ライン２６）に前記予備セクションの圧力補償弁７ｄへの目標補償差圧Ｐc４を差圧減圧弁１１の出力圧ＰＬＳの定数倍（＜１）に減圧する減圧弁１９を設けたものである。
【００７２】
図５ｂは本実施の形態の図１におけるエンジン回転数Ｎと減圧弁１９から圧力補償弁７ｄの受圧部７３ｃに出力される目標補償差圧をＰc４との関係を示す。実線ハ（イと同じ）は切換スイッチ３３が通常モード位置３３ａでのエンジン回転数Ｎの変化に対する目標補償差圧Ｐc４の値を表す。
この場合切換弁ブロック１９ｂは図１の位置にあり切換わらないので差圧減圧弁１１からの出力圧ＰＬＳはそのまま圧力補償弁７ｄの受圧部７３ｃに伝達され、エンジン回転数Ｎ（目標ＬＳ差圧Ｐｇｒ）の増減にほぼ比例して増減する。
【００７３】
実線ニは切換スイッチ３３が小流量モード位置３３ｂに切換えられ切換電気信号が出力されて、切換弁ブロック１９ｂが図１において右側位置に切換えられた状態でのエンジン回転数Ｎの変化に対する目標補償差圧Ｐc４の値を表す。
【００７４】
この場合、差圧減圧弁１１の出力圧ＰＬＳは弁ブロック１９ａを通ってＳ１／Ｓ２に減圧されて圧力補償弁７ｄの受圧部７３ｃに伝達される。すなわち、エンジン回転数Ｎの増減に対して圧力補償弁７ｄの目標補償差圧Ｐc４は実線ニに示すようにＰＬＳ×（Ｓ１／Ｓ２）倍で増減することになる。また、油圧ポンプ２から圧力補償弁７ｄを通って流量制御弁６ｄに導かれる流量は目標補償差圧Ｐｃ４の√倍に比例するので√ＰＬＳ×（Ｓ１／Ｓ２）倍となる。
【００７５】
例えば、Ｓ１：Ｓ２＝１：４に設定した場合、圧力補償弁７ｄの目標補償差圧Ｐｃ４は（１／４）ＰＬＳ倍となり、流量制御弁６ｄに導かれる流量は√（１／４）ＰＬＳ＝１／２ＰＬＳ倍となる。
【００７６】
実線ニに示すように、切換スイッチ３３の小流量モード位置３３ｂで圧力補償弁７ｄの目標補償差圧Ｐｃ４はエンジン回転数Ｎ（目標ＬＳ差圧Ｐｇｒ）の増減に応じて増減する差圧減圧弁１１からの出力圧ＰＬＳ（実線ハ）に対して常に常数倍（Ｓ１／Ｓ２＜１）を保持して増減するので、油圧アタッチメントと他の作業部材との複合操作時、例えば、図２のグラップル１３とブーム１６およびアーム１７との複合操作時に、
エンジン回転数Ｎの設定を変えることによってブームシリンダ３ａおよびアームシリンダ３ｂに係わる圧力補償弁７ａ，７ｂの目標補償差圧Ｐc1，Ｐc2＝ＰLSが増減してもグラップル１３のグラップル開閉シリンダ３ｄに係わる圧力補償弁７ｄの目標補償差圧Ｐc４は常に定数倍（Ｓ１／Ｓ２＜１）を保持するためブームシリンダ３ａおよびアームシリンダ３ｂに対するスピード比率が変化せず、しかも油圧ポンプ２からグラップル開閉シリンダ３ｄに供給される流量は必要流量以内に抑えられる。
【００７７】
また、図１の実施形態によれば、減圧弁１９の出力圧は弁ブロック１９ａのスプールの対抗する面積差で決まり、油温の影響を受けにくいので、油温に影響されることなく安定した流量の変更が可能となる。
【００７８】
さらに、図１の実施形態によれば、公知文献２の減圧弁（油圧式）に比べ、圧油をタンクに放出するものではないので、減圧弁１９の消費流量を小さく抑えることが容易であり、エネルギーロスを小さくできる。
【００７９】
さらに、減圧弁１９をコントロールバルブ４の外部の信号ライン２６に着脱可能に設けることができるので、例えば、油圧ショベルの油圧アタッチメントの油圧アクチュエータの必要流量が油圧ショベル駆動用の油圧アクチュエータに比較して少ないものを採用するに際し、本実施形態の減圧弁１９を容易に取り付け可能となる。
【００８０】
しかも、油圧アタッチメントの油圧アクチュエータが通常流量を必要とするものと付け変えた場合には、減圧弁１９を通常モードに切換えることで、油圧ポンプから必要流量を油圧アクチュエータに供給可能である。
【００８１】
図６ａは図１の実施形態において、減圧弁１９に代えて減圧弁１９′を設けこの減圧弁１９′の切換弁ブロック１９ｂ′を手動切換弁としたもので、切換えスイッチ３３を用いずに手動操作により必要に応じて通常モード切換位置と小流量モード切換位置を選択できる。
【００８２】
図６ｂは図１の実施形態において、減圧弁１９に代えて減圧弁１９″を設けこの減圧弁１９″の切換弁ブロック１９の切換弁ブロック１９ｂ″をパイロット操作の切換弁としたもので、図示しないパイロット圧操作手段によって通常モード切換位置と小流量モード切換位置を選択できる。
【図面の簡単な説明】
【００８３】
【図１】本発明の実施の形態に係わる油圧駆動装置の全体構成を示す図である。
【図２】本発明が適用される木造家屋解体作業用のグラップル１３を油圧アタッチメントとして装備した油圧ショベルを示す図である。
【図３】従来技術に基づく構成を比較例１として示す図１と同様な図である。
【図４】比較例１の対策例を比較例２として示す図１と同様な図である。
【図５（ａ）】比較例２におけるエンジン回転数と電磁比例減圧弁から圧力補償弁の受圧部に出力される目標補償差圧との関係を示す図である。
【図５（ｂ）】本実施の形態の図１におけるエンジン回転数と減圧弁から圧力補償弁の受圧部に出力される目標補償差圧との関係を示す図である。
【図６（ａ）】図１の実施形態の減圧弁に代えて減圧弁を手動操作切換えとした図である。
【図６（ｂ）】図１の実施形態の減圧弁に代えて減圧弁をパイロット操作切換えとした図である。
【符号の説明】
【００８４】
１  エンジン
２  メインの油圧ポンプ
３ａ，３ｂ，３ｃ，３ｄ  アクチュエータ
４  コントロールバルブ
４ａ，４ｂ，４ｃ，４ｄ  流量制御弁
５  供給油路
６ａ，６ｂ，６ｃ，６ｄ  流量制御弁
７ａ，７ｂ，７ｃ，７ｄ  圧力補償弁
８ａ，８ｂ，８ｃ，８ｄ  負荷ライン
９ａ，９ｂ，９ｃ  シャトル弁
１０  信号ライン
１１  第１の差圧減圧弁
１１ａ，１１ｂ，１１ｃ  受圧部
１２  ポンプ傾転制御機構
１２ａ  馬力制御傾転アクチュエータ
１２ｂ  ＬＳ制御弁
１２ｃ  ＬＳ制御傾転アクチュエータ
１３  エンジン回転数検出回路
１９  減圧弁
１９ａ  弁ブロック（減圧用）
１９ｂ  切換ブロック
２１，２２，２３，２４，２５、２６，２７  信号ライン
３１  吐出ライン
３２  リリーフ弁
５０  流量検出弁
５０ａ  絞り部
５１  第２の差圧減圧弁
５１ａ，５１ｂ，５１ｃ  受圧部
５３，  信号ライン
６０ａ，６０ｂ，６０ｃ，６０ｄ…  負荷ポート
６１，６２  メータイン可変絞り部
７０ａ，７０ｂ，７０ｃ，７０ｄ  受圧部
７１ａ，７１ｂ，７１ｃ，７１ｄ  受圧部
【図１】
2005226678.tif 000003
【図２】
2005226678.tif 000004
【図３】
2005226678.tif 000005
【図４】
2005226678.tif 000006
【図５（ａ）】
2005226678.tif 000007
【図５（ｂ）】
2005226678.tif 000008
【図６（ａ）】
2005226678.tif 000009
【図６（ｂ）】
2005226678.tif 000010